(57)【要約】【課題】シートスルー方式であって、搬送される原稿の画像を読取るための読取りガラスに付着あるいは残存した異物をより確実に排除でき、読取り画像に筋状のノイズが生じる不具合を防止できる画像読取り装置を提供する。【解決手段】段差シート３７は、読取り位置Ａよりも原稿Ｐの搬送方向の上流側に設けられ、かつ、読取りガラス３６の主面上に段差が形成されるように設けられる。カムは、段差シート３７が取り付けられる段差シート取り付け板の下側に設けられ、原稿Ｐの先端が読取り位置Ａを通過するときには、該原稿Ｐの中央部分が該読取り位置Ａを通過するときよりも、段差シート３７と読取りガラス３６とのなす角度が大きくなるように、段差シート取付け板を押し上げる。【選択図】図７
2008187405.tif 000002
【特許請求の範囲】
【請求項１】
読取り位置を通過するように原稿を送り出す原稿搬送手段と、
前記読取り位置を搬送される原稿の画像を光学的に読取る読取り手段と、
前記読取り位置を搬送される原稿と前記読取り手段との間に配置された透明部材と、
前記読取り位置よりも前記原稿の搬送方向の上流側に設けられ、かつ、前記透明部材の主面上に段差が形成されるように設けられた段差シートと、
前記原稿の先端が前記読取り位置を通過するときには、該原稿の中央部分が該読取り位置を通過するときよりも、前記段差シートと前記透明部材とのなす角度が大きくなるように、該段差シートの傾きを変化させる角度変更手段と、
を備えることを特徴とする画像読取り装置。
【請求項２】
前記角度変更手段は、前記原稿の先端が前記読取り位置を通過する際に、前記段差シートと前記透明部材とのなす角度を小さくし始めること、
を特徴とする請求項１に記載の画像読取り装置。
【請求項３】
前記原稿の先端が前記読取り位置を通過するときに、前記段差シートと前記透明部材とがなす角度をθとし、該段差シートと該透明部材とがなす最小の角度をθ'とし、
前記原稿の搬送方向の長さをＬとし、前記段差と前記読取り位置との間の距離をＬ'とし、該原稿の搬送速度をＳとし、前記段差シートと前記透明部材とのなす角度がθからθ'に変化するのに必要な時間をＴとしたときに、
Ｔ≦（Ｌ−Ｌ’）／Ｓ
の関係が成立すること、
を特徴とする請求項２に記載の画像読取り装置。
【請求項４】
前記原稿の先端が前記読取り位置を通過するときに、前記段差シートと前記透明部材とがなす角度は、５度〜１５度であること、を特徴とする請求項１ないし請求項３のいずれかに記載の画像読取り装置。
【発明の詳細な説明】
【技術分野】
【０００１】
本発明は、画像読取り装置に関し、より特定的には、複写機やスキャナ等において画像入力装置として用いられるシートスルー方式の画像読取り装置に関する。
【背景技術】
【０００２】
従来、原稿の画像を光学的に読取る画像読取り装置としては、プラテンガラス上に載置した原稿の画像を読取るプラテンセット方式と、原稿を１枚ずつ搬送し、搬送途中において原稿の画像を読取るシートスルー方式が、それぞれ単独であるいは併用されていた。シートスルー方式は、小型化、低コスト、低騒音、画像読取りの高速化、ひいてはプリントの高生産性に利点を有し、モノクロ複写機、カラー複写機とも画像読取り装置の主流となっている。
【０００３】
シートスルー方式の場合、画像読取り位置は透明部材（長尺状の読取りガラス）上に固定され、読取りガラスを介して搬送される原稿の画像面に読取り光学系の焦点を合わせる構成のため、読取りガラス上に付着したゴミなどの異物の影響を受けやすく、異物により遮光された部分は読取り画像において筋状の画像ノイズとなる。
【０００４】
透明部材に付着する異物は、主に、原稿に貼着したテープの粘着物や糊の剥がれ、修正液、ボールペンのインク塊、消しゴム屑などの粘着性異物で、原稿が読取りガラスを摺擦する部分に転写されやすい。また、このような粘着性異物は容易に剥離せず、画像ノイズとなる問題点を有していた。また、搬送される原稿から飛散する紙粉や大気中の埃などの浮遊性異物が読取りガラス上に滞留して画像ノイズとなる問題点も有していた。シートスルー方式では、原稿をローラなどで挟持してガイド板に接触させつつ搬送するために、紙などが主体の原稿にストレスが作用し、原稿面からの紙粉の落下は避けられない。
【０００５】
そこで、特許文献１には、読取りガラスの読取り位置よりも上流側に段差を設けると共に読取りガラスの読取り位置よりも下流側に原稿を上昇させる上昇部材を設けて、読取りガラスの読取り位置に対応する部分を原稿の先端部に摺接させる原稿送り装置が開示されている。該原稿送り装置では、読取りガラスの読取り位置に対応する部分に原稿の先端部を摺接させることにより、読取りガラス上の異物を取り除いていた。
【０００６】
しかしながら、前記原稿送り装置では、読取りガラス上の異物を十分に取り除くことができないという問題がある。より詳細には、段差と読取りガラスとの境界部分には、原稿の先端部が回りこみにくいため、この境界部分に異物が溜まりやすくなっていた。特に、原稿が上方向にカールしている場合には、段差と読取りガラスとの境界部分に、原稿の先端部分が回りこみにくく、異物の除去が困難であった。
【特許文献１】特開２００２−３１４７５３号公報
【発明の開示】
【発明が解決しようとする課題】
【０００７】
そこで、本発明の目的は、シートスルー方式であって、搬送される原稿の画像を読取るための読取りガラスに付着あるいは残存した異物をより確実に排除でき、読取り画像に筋状のノイズが生じる不具合を防止できる画像読取り装置を提供することにある。
【課題を解決するための手段】
【０００８】
本発明は、読取り位置を通過するように原稿を送り出す原稿搬送手段と、前記読取り位置を搬送される原稿の画像を光学的に読取る読取り手段と、前記読取り位置を搬送される原稿と前記読取り手段との間に配置された透明部材と、前記読取り位置よりも前記原稿の搬送方向の上流側に設けられ、かつ、前記透明部材の主面上に段差が形成されるように設けられた段差シートと、前記原稿の先端が前記読取り位置を通過するときには、該原稿の中央部分が該読取り位置を通過するときよりも、前記段差シートと前記透明部材とのなす角度が大きくなるように、該段差シートの傾きを変化させる角度変更手段と、を備えることを特徴とする。
【０００９】
本発明によれば、原稿の先端が読取り位置を通過する際には、原稿の先端が透明部材に接触しやすくなるように、段差シートを傾斜させると共に、原稿の先端以外の部分が読取り位置を通過する際には、原稿の先端以外の部分が透明部材に接触しにくくなるように、段差シートの傾斜を小さくしている。原稿の先端以外の部分には異物が比較的多く付着しているのに対して、原稿の先端には異物があまり付着していない。そのため、前記のように段差シートを傾斜させることにより、透明部材に異物が付着することを防止できると共に、原稿の先端により透明部材を清掃することができる。
【００１０】
本発明において、前記角度変更手段は、前記原稿の先端が前記読取り位置を通過する際に、前記段差シートと前記透明部材とのなす角度を小さくし始めるようにしてもよい。また、本発明において、前記原稿の先端が前記読取り位置を通過するときに、前記段差シートと前記透明部材とがなす角度をθとし、該段差シートと該透明部材とがなす最小の角度をθ'とし、前記原稿の搬送方向の長さをＬとし、前記段差と前記読取り位置との間の距離をＬ'とし、該原稿の搬送速度をＳとし、前記段差シートと前記透明部材とのなす角度がθからθ'に変化するのに必要な時間をＴとしたときに、Ｔ≦（Ｌ−Ｌ’）／Ｓの関係が成立するようにしてもよい。かかる関係が成立していれば、少なくとも、原稿の後端が段差を通過する際には段差シートと透明部材とのなす角度がθ'となる。
【００１１】
本発明において、前記原稿の先端が前記読取り位置を通過するときに、前記段差シートと前記透明部材とがなす角度は、５度〜１５度であってもよい。
【発明を実施するための最良の形態】
【００１２】
以下、本発明に係る画像読取り装置の実施例について添付図面を参照して説明する。
【００１３】
（画像読取り装置の全体構成）
図１は、本発明の一実施形態である画像読取り装置１の構成図である。この画像読取り装置１は、読取り位置Ａを通過するように原稿Ｐを送り出す原稿搬送手段としての原稿搬送部２と、読取り位置Ａを搬送される原稿Ｐの画像を光学的に読取る読取り手段を含んだ画像読取り部３とからなる。そして、画像読取り装置１は、手置きガラス３９上に載置された原稿Ｐの画像を読取るプラテンセット方式と、原稿搬送部２にて搬送される原稿Ｐの画像を読取るシートスルー方式との２種類の画像読取り方式を実行できる。なお、本実施形態では、シートスルー方式により画像読取りが行われるので、プラテンセット方式についての説明を省略する。以下では、説明の簡略のため、「原稿Ｐの搬送方向」を単に「搬送方向」と表記し、「原稿Ｐの搬送方向の上流側」を単に「上流側」と表記し、「原稿Ｐの搬送方向の下流側」を単に「下流側」と表記する。
【００１４】
原稿搬送部２は、給紙トレイ２０、ピックアップローラ２１、さばきローラ２２、給紙ローラ２３、レジストローラ対２４、読取り前ローラ対２５、読取り前センサ２６、読取り後ローラ対２７、排紙ローラ対２８及び排紙トレイ２９を備える。一方、画像読取り部３は、露光ランプ３０、第１ミラー３１、第２ミラー３２、第３ミラー３３、結像レンズ３４、ＣＣＤ３５、読取りガラス３６、段差シート３７、すくい上げガイド３８及び手置きガラス３９を備える。
【００１５】
まず、原稿搬送部２の構成について説明する。給紙トレイ２０には、複数枚の原稿Ｐが載置される。ピックアップローラ２１は、複数枚の原稿Ｐの一部をピックアップする。さばきローラ２２及び給紙ローラ２３は、ピックアップローラ２１により複数枚の原稿Ｐがピックアップされた場合には１枚ずつにさばいて搬送する。レジストローラ対２４は、１枚ずつにさばかれて搬送されてきた原稿Ｐの傾きを補正して、読取り前ローラ対２５に搬送する。読取り前ローラ対２５は、読取りガラス３６上に原稿Ｐを搬送する。読取り前センサ２６は、読取り前ローラ対２５を通過してきた原稿Ｐの有無を検出する。読取り後ローラ対２７は、読取りガラス３６上を通過した原稿Ｐを排紙ローラ対２８へと搬送する。排紙ローラ対２８は、読取り後ローラ対２７から搬送されてきた原稿Ｐを排紙トレイ２９に排出する。
【００１６】
次に、画像読取り部３の構成について説明する。露光ランプ３０、第１ミラー３１、第２ミラー３２、第３ミラー３３、結像レンズ３４及びＣＣＤ３５は、読取り位置Ａを搬送される原稿Ｐの画像を光学的に読取る読取り手段としての役割を果たす。具体的には、露光ランプ３０は、読取り位置Ａに対して光を照射する役割を果たし、例えば、蛍光灯により実現される。第１ミラー３１、第２ミラー３２及び第３ミラー３３は、読取り位置Ａに送られてきた原稿Ｐで反射した光を結像レンズ３４へと導く役割を果たす。具体的には、第１ミラー３１は、読取り位置Ａに送られてきた原稿面で反射した光を図１の左方向へと反射する。第２ミラー３２は、第１ミラー３１が反射した光を図１の下方向へと反射する。第３ミラー３３は、第２ミラー３２が反射した光を図１の右方向へと反射する。
【００１７】
結像レンズ３４は、第１ミラー３１、第２ミラー３２及び第３ミラー３３により反射されてきた光を、ＣＣＤ３５に結像する役割を果たす。ＣＣＤ３５は、結像レンズ３４に結像された原稿像をデジタルの画像データに変換する役割を果たす。また、読取りガラス３６は、読取り位置Ａを搬送される原稿Ｐと第１ミラー３１との間に配置された透明部材であり、露光ランプ３０からの光を原稿Ｐ側に透過させると共に、原稿Ｐで反射した光を第１ミラー３１へと透過させる。
【００１８】
ここで、読取り位置Ａ近傍の構成について、図２を用いてより詳細に説明する。図２は、読取り位置Ａ近傍における画像読取り装置１の構成を示した図である。
【００１９】
読取りガラス３６の周囲には、読取りガイド５１、及び、読取り位置Ａを通過した原稿Ｐを上方向にすくい上げるためのすくい上げガイド３８が配置されている。更に、搬送中の原稿Ｐが読取りガラス３６に直接触れないようにするために、段差シート３７が、読取り位置Ａよりも上流側において、読取りガラス３６の原稿Ｐ側の面上に段差部Ｃが形成されるように設けられる。これにより、段差シート３７のエッジ部である段差部Ｃは、読取り位置Ａよりも上流側に設けられると共に、読取りガラス３６の原稿Ｐ側の面よりも高い面（段差シート３７の上面）を形成するようになる。この段差シート３７は、厚さ（段差）が０．６５ｍｍで、超高分子量ポリエチレンなどの摺動抵抗の低い（好ましくは摩擦係数μ０．３以下）材料から形成され、読取りガラス３６の表面に接触した状態で配置されている。
【００２０】
この画像読取り装置１において、読取り前ローラ対２５及び読取り後ローラ対２７によって段差シート３７の上面を滑りながら右方向へ搬送される原稿Ｐは、段差シート３７の厚みによって読取り位置Ａを所定の高さを有して読取りガラス３６とは非接触状態で搬送され、原稿画像が読取りガラス３６を通して読取り手段により読取られる。原稿面と読取りガラス３６との間には隙間が存在するため、修正液などの粘着性異物が読取りガラス３６に付着することが防止される。
【００２１】
ところで、画像読取り装置１においては、原稿Ｐを読取りガラス３６に対して非接触状態で搬送することから、原稿Ｐからの粘着性異物が読取りガラス３６に転写されることはない。一方、原稿Ｐからは紙粉などの浮遊性異物が読取りガラス３６の表面に落下してしまう。
【００２２】
そこで、画像読取り装置１では、原稿Ｐの先端が読取り位置Ａを通過するときには、原稿Ｐの中央部分が読取り位置Ａを通過するときよりも、段差シート３７と読取りガラス３６とのなす角度が大きくなるように、段差シート３７の傾きを変化させる角度変更手段を備えている。このように、段差シート３７と読取りガラス３６とのなす角度を、原稿Ｐの位置に応じて変化させることにより、読取りガラス３６に原稿Ｐの先端が接触しやすくなり、紙粉などの浮遊性異物が取り除かれるようになる。
【００２３】
（角度変更手段について）
以下に、角度変更手段について図３及び図４を参照しながら説明する。図３は、角度変更手段の分解斜視図である。図４は、角度変更手段の動作の様子を示した図である。角度変更手段は、段差シート取付け板５２、ラック取付け板５３、ラック５８，５８'、モータ６１、ギア６２，６３、カム６４，６４'、遮光部６５及び遮光部検出センサ６６を備える。
【００２４】
段差シート取付け板５２は、例えば金属により作製されている。段差シート取付け板５２の下流側の端部には段差シート３７が下流側にはみ出すように取り付けられる。更に、段差シート３７が取り付けられた両端には、蝶番が設けられており、ラック取付け板５３が該蝶番を介して取り付けられている。これにより、段差シート取付け板５２は、ラック取付け板５３に対して、揺動可能に支持される。そして、段差シート取付け板５２が揺動することにより、段差シート３７も揺動するようになる。更に、ラック取付け板５３は、ラック５８，５８'に螺子により取り付けられる。
【００２５】
モータ６１は、例えば、ステッピングモータである。モータ６１には、ギア６２が取り付けられている。ギア６３は、ギア６２に噛み合って、モータ６１の駆動力を伝達する役割を果たす。カム６４は、ギア６３に連結されている。更に、カム６４'は、カム６４とシャフトを介して連結されている。すなわち、ギア６３が回転すると、カム６４，６４'も回転するようになる。これにより、図４（ａ）のように、段差シート取付け板５２にカム６４'の小径部分が接触している状態において、モータ６１が反時計回りに回転すると、カム６４'が時計回りに回転し、図４（ｂ）に示すように、該カム６４'の大径部分が段差シート取付け板５２を押し上げるようになる。その結果、段差シート３７は、下流側の端部が読取りガラス３６に接触しつつ、水平な状態から傾いた状態へと変化する。なお、以下では、図４（ａ）の状態において読取りガラス３６と段差シート３７とがなす角度が最小となっているときの該角度を初期角度θ'（本実施形態では０°）とし、図４（ｂ）の状態において読取りガラス３６と段差シート３７とがなす角度を傾斜角度θと称す。本実施形態における初期角度θ'及び傾斜角度θはそれぞれ、段差シート３７の上面の延長線と読取りガラス３６の上面とがなす角度のこととする。なお、初期角度θ'と傾斜角度θとの間には、θ'＜θの関係が成立する。更に、傾斜角度θは、５度〜１５度であることが好ましい。より詳細には、傾斜角度θは、段差部Ｃから読取り位置Ａまでの距離が６〜８ｍｍであって、かつ、段差シート３７の厚さが０．５ｍｍのときには、５度以上であることが好ましい。また、傾斜角度θは、段差部Ｃから読取り位置Ａまでの距離が６〜８ｍｍであって、かつ、段差シート３７の厚さが１．０ｍｍのときには、１０度以上であることが好ましい。
【００２６】
また、カム６４'の側面から突出するように、円弧状の遮光部６５が設けられている。そして、遮光部６５の近傍には、該遮光部６５の有無を検出する遮光部検出センサ６６が設けられている。遮光部検出センサ６６は、遮光部６５の有無を検出することにより、読取りガラス３６と段差シート３７とが初期角度θ'をなしているか傾斜角度θをなしているかを検出する。そのため、遮光部検出センサ６６は、読取りガラス３６と段差シート３７とが初期角度θ'をなしているときに、該遮光部６５によりその受光部が遮光されると共に、読取りガラス３６と段差シート３７とが傾斜角度θをなしているときに、該遮光部６５によりその受光部が遮光されないように配置される。なお、遮光部検出センサ６６は、受光部が遮光されているときに検出信号を出力する。
【００２７】
（画像読取り装置の動作について）
以上のように構成された画像読取り装置１の動作について図面を参照しながら説明する。図５は、画像読取り装置１のブロック図である。図６は、制御部１００が行う動作を示したフローチャートである。図７は、画像読取り装置１の動作を示した図である。
【００２８】
図５に示すように、画像読取り装置１の制御部１００には、ピックアップローラ２１、さばきローラ２２及び給紙ローラ２３からなる給紙部１０１と、レジストローラ対２４、読取り前ローラ対２５、読取り後ローラ対２７及び排紙ローラ対２８からなる搬送部１０２と、読取り前センサ２６と、ＣＣＤ３５と、モータ６１と、遮光部検出センサ６６とが接続されている。制御部１００は、例えば、ＣＰＵにより実現され、画像読取り装置１全体の制御を行う。以下、図６を参照しながら、画像読取り装置１の動作について説明する。
【００２９】
まず、制御部１００は、ユーザからの原稿Ｐの読取り開始の指示を受けて、給紙部１０１を駆動させる（ステップＳ１）。具体的には、制御部１００は、給紙トレイ２０に載置された原稿Ｐを、ピックアップローラ２１、さばきローラ２２及び給紙ローラ２３に１枚ずつ給紙させる。
【００３０】
原稿Ｐの給紙が開始されると、制御部１００は、搬送部１０２を駆動させる（ステップＳ２）。具体的には、制御部１００は、レジストローラ対２４、読取り前ローラ対２５、読取り後ローラ対２７及び排紙ローラ対２８の回転を開始させて、原稿Ｐを搬送させる。このとき、図７（ａ）に示すように、段差部Ｃと読取りガラス３６とは初期角度θ'をなしている。そのため、遮光部検出センサ６６の受光部は、遮光部６５により遮光された状態であり、遮光部検出センサ６６から制御部１００へ検出信号が出力されている状態である。
【００３１】
原稿Ｐの搬送が開始されると、制御部１００は、読取り前センサ２６が原稿Ｐの先端を検出したか否かを判定しながら待機する（ステップＳ３）。読取り前センサ２６が原稿Ｐの先端を検出しない場合には、本処理はステップＳ３を繰り返す。読取り前センサ２６が原稿Ｐの先端を検出した場合には、本処理はステップＳ４に進む。
【００３２】
原稿Ｐの先端が検出された場合には、制御部１００は、モータ６１を駆動して、段差シート３７と読取りガラス３６とが傾斜角度θをなすまで、段差シート３７を傾斜させる（ステップＳ４）。具体的には、制御部１００は、遮光部検出センサ６６の受光部の遮光部６５による遮光が解かれて、該遮光部検出センサ６６から検出信号が出力されてこなくなるまでモータ６１を駆動させる。これにより、図７（ｂ）に示すように、段差シート３７は、下流側の端部を中心として回転し、読取りガラス３６と傾斜角度θをなすようになる。段差シート３７と読取りガラス３６とが傾斜角度θをなすことにより、原稿Ｐが段差シート３７に沿って読取りガラス３６に突入するようになる。その結果、原稿Ｐの先端は、読取りガラス３６の主面に直接に接触するようになる。原稿Ｐの先端には、テープの粘着物等の異物が殆ど付着していないので、原稿Ｐの先端が、読取りガラス３６上を通過することにより異物を掻き取っていく。
【００３３】
次に、制御部１００は、原稿Ｐの先端が検出されてから所定時間が経過したか否かを判定しながら待機する（ステップＳ５）。この所定時間は、原稿Ｐの先端が検出されてから、原稿Ｐの先端が読取り位置Ａを通過するまでの時間に設定される。所定時間が経過していない場合には、ステップＳ５が繰り返される。所定時間が経過している場合には、本処理はステップＳ６に進む。
【００３４】
所定時間が経過している場合には、制御部１００は、モータ６１を駆動して、段差シート３７と読取りガラス３６とが初期角度θ'をなすまで、段差シート３７の傾斜を戻すことを開始する（ステップＳ６）。具体的には、制御部１００は、遮光部検出センサ６６の受光部が遮光部６５によって遮光されて、該遮光部検出センサ６６から検出信号が出力されてくるようになるまでモータ６１を駆動させる。これにより、図７（ｃ）に示すように、段差シート３７は、下流側の端部を中心として回転し、読取りガラス３６と初期角度θ'をなすようになる。原稿Ｐの先端が読取り位置Ａを通過した後に、段差シート３７と読取りガラス３６とが初期角度θ'をなすようにすることにより、原稿Ｐが段差部Ｃに持ち上げられて、原稿Ｐの先端以外の部分（例えば、原稿Ｐの中央部）が読取りガラス３６に接触することが防止される。
【００３５】
最後に、制御部１００は、原稿Ｐの搬送が完了したか否かの判定を繰り返しながら待機する（ステップＳ７）。原稿Ｐの搬送が完了した場合、本処理は終了する。
【００３６】
以上のように、本実施形態に係る画像読取り装置１によれば、原稿Ｐの先端が読取りガラス３６上を通過する際には、原稿Ｐの先端が読取りガラス３６に接触しやすくなるように、段差シート３７を傾斜させると共に、原稿Ｐの先端以外の部分が読取りガラス３６上を通過する際には、原稿Ｐの先端以外の部分が読取りガラス３６に接触しにくくなるように、段差シート３７の傾斜を小さくしている。原稿Ｐの先端以外の部分には異物が比較的多く付着しているのに対して、原稿Ｐの先端には異物があまり付着していない。そのため、前記のように段差シート３７を傾斜させることにより、読取りガラス３６に異物が付着することを防止できると共に、原稿Ｐの先端により読取りガラス３６を清掃することができる。
【００３７】
なお、図６のステップＳ６において、段差シート３７と読取りガラス３６とのなす角度が傾斜角度θから初期角度θ'へと変化させる際には、急激に角度を変化させるのではなく、徐々に変化させることが好ましい。これは、急激に角度を変化させると、原稿Ｐの姿勢が急激に変化してしまい、読取り画像の画質が劣化してしまうからである。
【００３８】
ただし、図７（ｂ）に示すように、原稿Ｐの搬送方向の長さをＬとし、段差部Ｃと読取り位置Ａとの間の距離をＬ'とし、原稿Ｐの搬送速度をＳとし、段差シート３７と読取りガラス３６とのなす角度が傾斜角度θから初期角度θ'に変化するのに必要な時間をＴとしたときに、Ｔ≦（Ｌ−Ｌ’）／Ｓの関係が成立していることが好ましい。かかる関係が成立していれば、少なくとも、原稿Ｐの後端が段差部Ｃを通過する際には段差シート３７と読取りガラス３６とのなす角度が初期角度θ'となっているからである。
【００３９】
ところで、前記画像読取り装置１において、原稿Ｐの種類によって傾斜角度θを変更するようにしてもよい。以下に、図８及び図９を参照しながら説明する。図８（ａ）は、原稿Ｐが普通紙よりも薄い紙である場合における段差部Ｃ近傍の拡大図である。図８（ｂ）は、原稿Ｐが普通紙である場合における段差部Ｃ近傍の拡大図である。図８（ｃ）は、原稿Ｐが普通紙よりも厚い紙である場合における段差部Ｃ近傍の拡大図である。図９は、原稿Ｐが普通紙よりも薄い紙である場合において生じる問題を説明するための説明図であり、段差部Ｃ近傍の拡大図である。
【００４０】
原稿Ｐが普通紙よりも薄い場合には、図８（ａ），（ｂ）に示すように、傾斜角度θを原稿Ｐが普通紙である場合よりも小さくする。更に、原稿Ｐが普通紙よりも厚い場合には、図８（ｂ），（ｃ）に示すように、傾斜角度θを原稿Ｐが普通紙である場合よりも大きくする。原稿Ｐが普通紙よりも薄い紙の場合、普通紙に比べて撓みやすいため、原稿Ｐを大きく傾斜させると図９に示すように自重で撓んで読取りガラス３６に接触するからである。更に、原稿Ｐが普通紙よりも厚い場合には、普通紙に比べて撓みにくいため、段差シート３７を大きく傾斜させることによって、原稿Ｐの先端部を読取りガラス３６に接触させやすくできる。
【図面の簡単な説明】
【００４１】
【図１】本発明の一実施形態である画像読取り装置の構成図である。
【図２】読取り位置近傍における画像読取り装置の構成を示した図である。
【図３】角度変更手段の分解斜視図である。
【図４】角度変更手段の動作の様子を示した図である。
【図５】画像読取り装置のブロック図である。
【図６】制御部が行う動作を示したフローチャートである。
【図７】画像読取り装置の動作を示した図である。
【図８】図８（ａ）は、原稿が普通紙よりも薄い紙である場合における段差部近傍の拡大図である。図８（ｂ）は、原稿が普通紙である場合における段差部近傍の拡大図である。図８（ｃ）は、原稿が普通紙よりも厚い紙である場合における段差部近傍の拡大図である。
【図９】原稿が普通紙よりも薄い紙である場合において生じる問題を説明するための説明図であり、段差部近傍の拡大図である。
【符号の説明】
【００４２】
１  画像読取り装置
２  原稿搬送部
３  画像読取り部
２５  読取り前ローラ対
２６  読取り前センサ
３６  読取りガラス
３７  段差シート
３８  すくい上げガイド
５１  読取りガイド
５２  段差シート取付け板
５３  ラック取付け板
６１  モータ
６２，６３  ギア
５８，５８'  ラック
６５  遮光部
６６  遮光部検出センサ
６４，６４'  カム
１００  制御部
１０１  給紙部
１０２  搬送部
Ａ  読取り位置
Ｃ  段差部
Ｐ  原稿
【図１】
2008187405.tif 000003
【図２】
2008187405.tif 000004
【図３】
2008187405.tif 000005
【図４】
2008187405.tif 000006
【図５】
2008187405.tif 000007
【図６】
2008187405.tif 000008
【図７】
2008187405.tif 000009
【図８】
2008187405.tif 000010
【図９】
2008187405.tif 000011